(57)【要約】【課題】例えば指１本で、ロック状態、施錠状態等にすることができること。【解決手段】ロック具１は、取り付け基体５が、ラッチ部材用収納部分８と、この収納部分に一体的に設けられた操作部材用ハウジング９とを有し、ラッチ部材１１は、収納部分の一側面５ａ側から出没することができるように支軸１０に枢支され、一方、操作部材２１は、その内端部２１ａが支軸１０に対して同心円上の軌跡を描く可動軸１６を介してラッチ部材１１に軸支されていると共に、その外端部２１ｂは、ハウジングの他側面５ｂ側に位置し、受け具５０に対するロック時、外端部２１ｂをプッシュすると、ラッチ部材１１は収納部分８の一側面５ａ側から回転しながら所定位置まで突出する。【選択図】図５
2008208524.tif 000002
【特許請求の範囲】
【請求項１】
取り付け基体が、ラッチ部材用収納部分と、この収納部分に一体的に設けられた操作部材用ハウジングとを有し、前記ラッチ部材は、収納部分の一側面側から出没することができるように支軸を介して回転自在に枢支され、一方、前記操作部材は、その内端部が前記支軸に対して同心円上の軌跡を描く可動軸を介してラッチ部材に軸支されていると共に、その外端部は、前記一側面側とは反対側のハウジングの他側面側に位置し、受け具に対するロック時、前記外端部をプッシュすると、ラッチ部材は収納部分の一側面側から回転しながら所定位置まで突出することを特徴とする建具用ロック具。
【請求項２】
請求項１に於いて、ラッチ部材は、支軸を含む基端部と、この基端部に連設する化粧板部分と、この化粧板部分の内側に突出する係合部と、同じく化粧板部分の内側に設けられた可動軸用軸受け部を有することを特徴とする建具用ロック具。
【請求項３】
請求項１に於いて、ハウジングには、受け具に対するロック時、操作部材の被係合部と係合する施錠部を有する施・解錠板がスライド自在に設けられていることを特徴とする建具用ロック具。
【請求項４】
取り付け基体が、ラッチ部材用収納部分と、この収納部分に一体的に設けられた操作部材用ハウジングとを有し、前記ラッチ部材は、収納部分の一側面側から出没することができるように支軸を介して回転自在に枢支され、一方、前記操作部材は、その内端部が前記支軸に対して同心円上の軌跡を描く可動軸を介してラッチ部材に軸支されていると共に、その外端部は、前記一側面側とは反対側のハウジングの他側面側に位置し、受け具に対するロック時、前記外端部をプッシュすると、前記ラッチ部材は収納部分の一側面から回転しながら所定位置まで突出し、この突出したロック時、操作部材を施錠することができるように、前記ハウジングには、操作部材の被係合部と係合する施錠部を有する施・解錠板がスライド自在に設けられていることを特徴とする建具用ロック具。
【請求項５】
請求項４に於いて、施・解錠板は、取り付け基体に設けられた施錠用バネ手段により、常時、施錠方向に付勢されていることを特徴とする建具用ロック具。
【請求項６】
請求項４に於いて、ラッチ部材は、戻しバネのバネ力により、常時、初期の方向へと付勢されており、室内側から施・解錠板の操作部分をプッシュすると、ラッチ部材及び操作部材は前記戻しバネのバネ力により、自動的に初期位置へと戻ることを特徴とする建具用ロック具。
【請求項７】
請求項４に於いて、施・解錠板は、室内側から解錠操作ができる通常の第１操作部分と、この第１操作部分から折り曲げ部分を介して外側の引手部分のへと延在しかつ緊急時に使用される第２操作部分とを有し、この第２操作部分と前記第１操作部分の中途部分に操作部材と係合する施錠部が形成されていることを特徴とする建具用ロック具。
【請求項８】
請求項４に於いて、開閉体に建具用ロック具を取り付け、一方、開閉体用戸枠にラッチ部材が係合する凹所を有する受け具を取り付けたことを特徴とする開閉体錠。
【請求項９】
請求項８に於いて、開閉体は引戸であることを特徴とする開閉体錠。
【発明の詳細な説明】
【技術分野】
【０００１】
本発明は、例えば建具用ロック具と、これを利用した開閉体錠に関する。
【背景技術】
【０００２】
特許文献１や特許文献２に記載されているように、普通一般の引戸錠は、（ａ）開閉体である引戸の戸先、或いは下框、或いはまた上框に錠箱内装の鎌片、デッドボルト等の係合片を設け、一方、前記係合片が係脱する凹所を有する受け具は、固定部材である戸枠の縦枠や下枠或いは上枠に設けている。
【０００３】
また、普通一般の引戸錠は、（ｂ）開閉体に設けられたシリンダ錠の鍵穴に合鍵を差込み、該合鍵を操作することによって、またはサムターンを回転操作することによって、係合片が固定部材の受け具に対して出没する。さらに、普通一般の引戸錠は、（ｃ）閉戸時には引戸が戸枠の縦枠に衝突する。
【０００４】
ところで、現在、合鍵等を回転操作しないで、望ましくは１本の指で簡単に押圧操作して施錠状態又は解錠状態にできる（いわゆる操作性が良い）建具用ロック具の出現が要望されている。
【０００５】
特に、上げ下げ型シャッターや吊り下げ型ランナー方式の開閉体錠の場合、指でプッシュすると、自動的に施錠状態となり、一方、同じく指でプッシュすると、自動的に解錠状態になるもの（操作性が良いと共に、自動的に施・解錠するもの）が望まれている。
【特許文献１】特許公開２００５−１２０６０６号公報
【特許文献２】特許公開平１０−１０２８５５号公報
【発明の開示】
【発明が解決しようとする課題】
【０００６】
本発明の第１の目的は、建具用ロック具の操作性の向上を図り、例えば指１本で、開閉体をロック状態にすることができることである。第２の目的は、指でプッシュすると、自動的に施錠状態となり、一方、同じく指でプッシュすると、自動的に解錠状態になる建具用ロック具（操作性が良いと共に自動的に施・解錠するもの）を提案することである。その他、ラッチ部材が見栄えが良くかつ強固であることである。
【０００７】
さらに、例えば開閉体の戸先又は戸枠の縁部に上記建具用ロック具を取付け、一方、ロック具のラッチ部材と対向する相手側に受け金具を設けるとこにより、上げ下げ型シャッターや吊り下げ型ランナー方式の開閉体錠として利用することができることである。
【課題を解決するための手段】
【０００８】
本発明の建具用ロック具１は、取り付け基体５が、ラッチ部材用収納部分８と、この収納部分に一体的に設けられた操作部材用ハウジング９とを有し、前記ラッチ部材１１は、収納部分の一側面５ａ側から出没することができるように支軸１０を介して回転自在に枢支され、一方、前記操作部材２１は、その内端部２１ａが前記支軸１０に対して同心円上の軌跡を描く可動軸１６を介してラッチ部材１１に軸支されていると共に、その外端部２１ｂは、前記一側面側とは反対側のハウジングの他側面５ｂ側に位置し、受け具５０に対するロック時、前記外端部２１ｂをプッシュすると、前記ラッチ部材１１は収納部分８の一側面５ａ側から回転しながら所定位置まで突出することを特徴とする。
【０００９】
また、本発明の建具用ロック具１は、取り付け基体５が、ラッチ部材用収納部分８と、この収納部分に一体的に設けられた操作部材用ハウジング９とを有し、前記ラッチ部材１１は、収納部分の一側面５ａ側から出没することができるように支軸１０を介して回転自在に枢支され、一方、前記操作部材は、その内端部が前記支軸に対して同心円上の軌跡を描く可動軸１６を介してラッチ部材１１に軸支されていると共に、その外端部２１ｂは、前記一側面側とは反対側のハウジングの他側面５ｂ側に位置し、受け具５０に対するロック時、前記外端部２１ｂをプッシュすると、前記ラッチ部材１１は収納部分の一側面５ａから回転しながら所定位置まで突出し、この突出したロック時に於いて、操作部材２１を施錠することができるように、前記ハウジング９には、操作部材に形成された被係合部２５と係合する施錠部３１ｃを有する施・解錠板３１が水平方向にスライド自在に設けられていることを特徴とする。
【００１０】
さらに、ラッチ部材１１は、戻しバネ１８のバネ力により、常時、初期の方向へと付勢されており、室内側３から施・解錠板３１の操作部分３１ａをプッシュすると、ラッチ部材１１及び操作部材２１は前記戻しバネ１８のバネ力により、自動的に初期位置へと戻ることを特徴とする。
【００１１】
加えて、本発明の開閉体錠は、例えば開閉体に建具用ロック具を取り付け、一方、開閉体用戸枠にラッチ部材が係合する凹所を有する受け具を取り付けたことを特徴とする。ここで、「開閉体」とは、引手を介して左右又は上下に移動する戸をいい、シャッターも含まれる。
【発明の効果】
【００１２】
（１）ロック具の操作性の向上を図ることができる。例えば指１本でワンタッチ操作すると、相手方の受け金具と係合可能な状態となる。
（２）操作性が良いと共に、自動的に施・解錠する。付言すると、指１本で操作部材をプッシュすると自動的に施錠状態となり、一方、同じく指１本で施・解錠板をプッシュすると自動的に解錠状態になる。
（３）上げ下げ型シャッター方式や吊り下げ型ランナー方式の開閉体錠として利用することができる。この場合、受け具は幅広の係合凹所を有することから、チリ寸法に対応して、ロック具のラッチ部材の係合部を係合凹所に入れることができる。
【発明を実施するための最良の形態】
【００１３】
以下、図１乃至図１４は、本発明の建具用のロック具と、これを利用した開閉体錠に関する最良の形態をそれぞれ示す。
【００１４】
（１）建具用ロック具と受け具
図１は建具用ロック具１と受け具５０をそれぞれ示す斜視図である。図１の（ａ）は、開閉体の一例である引戸２の戸先に固定したロック具１を室内側３から見た斜視の状態を示している。このロック具１は、例えば引戸２に用いられる場合には、引戸２の戸先に形成された縦長切欠４に嵌め込まれ、かつ、複数個の固着手段を介して固定される。
【００１５】
一方、図１の（ｂ）は、ロック具１とセットで用いられる金属製の受け具５０で、この受け具５０の一側面には、前記ロック具１を構成するラッチ部材の係合部と係合する凹所５１が形成されている。受け具５０は、戸枠５２の縦枠に形成された縦長切欠５３に嵌め込まれ、かつ、複数個の固着手段を介して固定される。
【００１６】
（２）受け具５０
まず、説明の便宜上、図１乃至図７を参照にして、受け具５０から説明する。図１（ｂ）で示すように、受け具５０は、金属製の板をプレスで折り曲げ形成して、例えば外観上、長箱状に形成され、かつ、その凹所５１が室内側３を向くように縦長切欠５３を介して戸枠５２の内壁面５２ａに取付けられている。
【００１７】
したがって、普通一般のトロヨケが、引戸の戸先面と対向する戸枠の開口面に埋設されているのに対して、本発明の受け具５０は、固定部材としての戸枠５２の内壁面５２ａに、その縦長切欠５３を介して嵌め込まれている点が異なる。これは、開閉体２の実施例がスライド式或いは吊り下げ型ランナー方式であることを考慮したものである。
【００１８】
実施例では、引戸２の戸先にロック具１を取り付け、一方、戸枠５２の縦枠に凹所５１を有する受け具５０取り付け、両方の部材１、５０が重なり合った態様で「開閉体錠Ｘ」として使用する。
【００１９】
しかし、両方の部材１、５０の取り付け態様は、この使用例に限定される訳ではなく、その逆の使用もＯＫである。すなわち、引戸２の戸先に凹所５１を有する受け具５０を取り付け、一方、戸枠５２の縦枠にロック具１を取り付けて「開閉体錠Ｘ」として使用することもできる。
【００２０】
次に、図２はロック具１と受け具５０の組み合わせが、スライド式の開閉体錠Ｘを構成する旨の説明図である。この図２は室内側から見た斜視の状態である。
【００２１】
ここで、開閉体錠Ｘの使用例について説明する。図３乃至図７は、引戸２を閉鎖方向へ引き（図３）、引戸２の戸先部分の外壁面２ａと戸枠５２の内壁面５２ａの一部とがすれ違い状に重なり合った閉鎖時（図４）、すなわち、ロック具１の収納部分の一側面（ラッチ部材１１が収納されている側）５ａが、戸枠５２の内壁面５２ａに嵌め込んだ受け具５０の凹所５１と対向した状態が、図４である。
【００２２】
この後、操作部材２１の外端部２１ｂを室内側３から受け具５０の凹所５１に向かって１本の指Ｆで所定位置まで押し込むと、ロック具１を構成するラッチ部材が回転しながら受け具５０の凹所５１に入り込む。これが、ロック具１が受け具５０に係合して、引戸２を開くことができなくなったロック状態である（図５）。
【００２３】
本実施例では、後述するラッチ部材１１が受け具５０の凹所５１に入り込んだその瞬間、ロック具１の施・解錠板３１が、その施錠用バネ手段３２のバネ力により操作部材２１の外端部２１ａをロックする矢印Ａ方向へスライドして、操作部材２１が戻らないように自動的に施錠する（図５）。
【００２４】
図２では、施錠状態が見えないものの、施・解錠板３１の施錠部３１ｃが操作部材２１の外端部２１ｂを施錠している。したがって、図２で示すロック具１の外観図では、操作部材２１の外端部２１ｂはハウジングの奥（奥行き方向）に入り込んでおり、また、施・解錠板用の第１操作部分３１ａは、ロック具１の取付け基体５の側面（戸先側の外端面）５ｃから若干出っ張っている。
【００２５】
一方、引戸２を開けた場合には、室内側（ハウジング９側）３から施・解錠板３１の第１操作部分３１ａを１本の指Ｆで矢印Ｂ方向へプッシュする（図６）。第１操作部分３１ａは通常使用される解錠用の操作部分であるから、室内側３から操作可能である。
【００２６】
図６の矢印Ｂで示すように、第１操作部分３１ａを操作部材２１と交差する方向へ押し込むと、ラッチ部材１１は支軸１０に設けられた戻しバネ１８のバネ力により、常時、初期方向へと付勢されていることから、操作部材２１はラッチ部材１１と共に戻しバネ１８のバネ力により自動的に初期位置へと戻る（図７）。
【００２７】
（３）ロック具１の基本的構成
ロック具１の基本的構成は、「取り付け基体５が、ラッチ部材用収納部分８と、この収納部分に一体的に設けられた操作部材用ハウジング９とを有し、前記ラッチ部材１１は、収納部分の一側面５ａ側から出没することができるように支軸１０を介して回転自在に枢支され、一方、前記操作部材２１は、その内端部２１ａが前記支軸１０に対して同心円上の軌跡を描く可動軸１６を介してラッチ部材１１に軸支されていると共に、その外端部２１ｂは、前記一側面側とは反対側のハウジングの他側面５ｂ側に位置し、受け具５０に対するロック時、前記外端部２１ｂをプッシュすると、前記ラッチ部材１１は収納部分８の一側面５ａ側から回転しながら所定位置まで突出すること」である。
【００２８】
本実施例では、この基本的構成に対して、１本の指Ｆで前記操作部材２１の外端部２１ｂをプッシュすると、施・解錠片３１が、その施錠用バネ手段３２のバネ力により、施錠方向へスライドして操作部材２１を自動的に施錠し、一方、前記施・解錠片３１の操作部分３１ａを室内側３からプッシュすると、操作部材２１がその戻しバネ１８のバネ力により、自動的に解錠状態になる。
【００２９】
（４）具体的構成
以下、本発明の具体的構成について順次説明する。なお、切欠、取付け孔、固着具等の一部の説明や符号は割愛している。
【００３０】
図１乃至図７と共に、図８乃至図１４を参照にしてロック具１を説明する。まず、図８は、ロック具１を室内側３から見た正面視であって、便宜上、その内部構造も示している。この図８では、ロック具１の箱型状の取り付け基体５の外観が正面視矩形状に見える。このロック具１は、自動施錠及び自動解錠を達成するために、前述した基本的構成に対して、さらに、新規構成を加味している。
【００３１】
まず、取り付け基体５は、単数又は複数個（本実施例）のケースを適宜に組み合わせて、全体として長箱形状に形成されている。図８を基準にすると、引戸２の内壁面２ａと面一状態となる取り付け基体５の他側面（内壁面）５ｂの左側半分は、引手用として利用され、一方、右側半分はラッチ部材用収納部分及び操作部材用ハウジングとして利用されている。
【００３２】
また、図３を参照にすると、５ａは取り付け基体５の一側面（外壁面）、５ｂはその他側面（内壁面）、５ｃは外端面（戸先面）である。また、６は一側面５ｂに形成された外側の凹所状の引手部分、一方、７は他側面５ｂに形成された内側の凹所状の引手部分である。
【００３３】
そして、内外の引手部分６、７の右側にラッチ部材用収納部分８と、この収納部分８に一体的に設けられた操作部材用ハウジング９が一体的に設けられている。
【００３４】
本実施例では、外側の引手部分６の右側の縦方向にラッチ部材用収納部分８が設けられている。一方、操作部材用ハウジング９は、合成樹脂材で小ケース状に形成され、図８で示すように内側の引手部分７の右側の中央部に正面視矩形状に設けられている（ハッチングした箇所）。
【００３５】
そこで、まず、ラッチ部材１１の構成を説明する。ラッチ部材１１は、例えば図１１で示すように支軸、係合部等を有する化粧板として形成されている。図１１の（ａ）は、ラッチ部１１材の化粧板１３の外壁面１３ａを示し、また、図１１の（ｂ）は、上下一対の支軸１０を含む基端部１２、複数個の係合部１４及び対向軸受け部１５を示す。
【００３６】
すなわち、本実施例のラッチ部材１１は、上下一組の支軸１０用の軸受け部分１２ａ、１２ａを含む基端部１２と、この基端部１２に連設する長板状の化粧板部分１３と、この化粧板部分１３の内側の上・下部に所定間隔を有して突出する複数個の係合部（扇形状のラッチ部）１４と、同じく化粧板部分１３の内側の中央部に設けられた可動軸用の対向軸受け部１５とを有する。
【００３７】
なお、基端部１２はパイプ状に形成され、その上下端部の適宜箇所には、後述する戻しバネ１８用の装着部ないし切欠部分が設けられている。また、可動軸１６用の対向軸受け部１５は、図９で示すように、ロック用の操作部材２１の内端部２１ａを挟んでいる。さらに、可動軸１６は前記対向軸受け部１５を介して前記内端部２１ａの長孔１７を貫通している。その他の細部的事項の説明は割愛する。
【００３８】
したがって、本実施例のラッチ部材１１は、取付け基体５の一側面５ａ或いは収納部分８の一側面５ａ側から出没することができるように上下一組の支軸１０を介して回転自在に枢支されている。そして、前記支軸１０には、後述する戻しバネ１８がそれぞれ巻装されている。
【００３９】
次に、操作部材２１の構成を説明する。操作部材２１は、例えば図５で示すように、その内端部２１ａがラッチ部材１１の支軸１０に対して同心円上の軌跡を描く可動軸１６を介してラッチ部材１１の中心部に対向軸受け部１５を介して軸支されている（図９）。
【００４０】
一方、操作部材２１の外端部２１ｂは、取付け基体５の一側面５ａ（或いは収納部分８の一側面５ａ）側とは反対側の取付け基体５の他側面５ａ（或いはハウジングの他側面５ａ）側に位置している。
【００４１】
また、操作部材２１の中央部には、図９で示すように垂直ガイドピン２２が設けられ、この垂直ガイドピン２２はハウジング９に形成した上下一対の水平案内長孔２３に係合している。
【００４２】
さらに、操作部材２１の外端部２１ｂの外面、図５を参照にすると、内側の引手部分７の方の外端部２１ｂの外面には、後述する施・解錠板３１の施錠部３１ｃと係合する被係合部２５が形成されている。
【００４３】
ところで、前記施・解錠板３１は、取り付け基体５に設けられた施錠用バネ手段３２により、ハウジング９の内部に位置する施錠部３１ｃに係合する方向（施錠方向）に常時に付勢されている。
【００４４】
本実施例の施・解錠板３１は、図５を参照にすると、取付け基体５の外端面５ｃ（ハウジングの外端面５ｃ）側から解錠操作ができる通常の第１操作部分３１ａと、この第１操作部分３１ａから折り曲げ部分を介して外側の引手部分６の内壁底面６ａへと延在し、かつ、緊急時に使用される第２操作部分３１ｂとを有し、この第２操作部分３１ｂと前記第１操作部分３１ａの中途部分に操作部材２１の被係合部２５と係合する施錠部３１ｃが形成されている。
【００４５】
また、図１２及び図１３で示すように、支軸１０にはラッチ部材１１を初期位置（収納位置）へ自動的に戻すための戻しバネ１８が巻装され、その長い方の一端部１８ａはラッチ部材１１の化粧板部分１３の内面に差し込み部分、係合溝等のバネ端支持部を介して取付けられ、一方、短い方の他端部１８ａは化粧板部分１３の不番の切欠部分等を介して取り付け基体１の不番のバネ端支持部に支持されている。
【００４６】
ここで、図１２を参照にして戻しバネ１８の弾性変位復帰機能について説明する。図１２では、戻しバネ１８の長い方の一端部１８ａの変位状態を仮想線と実線で示している。
【００４７】
戻しバネ１８の長い方の一端部１８ａが仮想線の位置にあるときは、ラッチ部材１１が戻しバネ１８のバネ力に抗して突出していることを意味する。この時、戻しバネ１８の支軸１０に巻装されている螺旋状の中央部は、いわゆる収縮状態であり、戻しバネ１８の一端部１８ａは、矢印Ｃ方向に戻ろうとしている。つまり、可動側の一端部１８ａが固定側の他端部１８ｂに対して開いた場合には、戻しバネ１８の復帰力は、矢印Ｃ方向に働く。
【００４８】
（５）作用
図５で示すように、ロック時、操作部材２１の外端部２１ｂをプッシュすると、ラッチ部材１１は収納部分８の一側面５ａから回転しながら所定位置まで突出する。これにより、ラッチ部材１１の係合部１４は受け具５０の凹所５１と係合する状態となる。
【００４９】
本実施例では、ラッチ部材１１が前記一側面５ａから突出したロック時に於いて、さらに操作部材２１を自動施錠することができるように、ハウジング９には、施・解錠板３１が水平方向にスライド自在に設けられている。
【００５０】
前述したように、施・解錠板３１は、取り付け基体１の内側の引手部分７の内壁底面７ａ側に配設された施錠用バネ手段３２により、常時、施錠方向に付勢されていることから、操作部材２１をハウジング９の奥へと指で押し込むと、所定位置で、その施錠部３１ｃが操作部材２１の被係合部２５に係合する。これにより、操作部材２１は自動的に施錠され、後退することができない。
【００５１】
一方、ラッチ部材１１は、支軸１０に設けられた戻しバネ１８のバネ力により、常時、初期方向へと付勢されていることから、図６で示すように、施・解錠板３１の垂直面状の第１操作部分３１ａを指で矢印Ｂ方向へ押圧すると、該施・解錠板３１は解錠位置へとスライドし、その結果、ラッチ部材１１及び操作部材２１は戻しバネ１８のバネ力により、自動的に初期位置へと戻る。
【実施例】
【００５２】
発明の実施の形態で示した実施例に於いて、特に図示しないが、ラッチ部材１１の係合部１４の形状は任意に設計変更することができる。例えば係合部１４は扇形状に形成されているが、係止可能な三角形状に設計変更することは自由である。
【００５３】
また、本実施例のロック具１は、図１４で示すように、緊急時、施・解錠板３１の第２操作部分３１ｂを指Ｆや図示しない工具を用いて、外側の引手部分６側から水平方向に操作すると、施・解錠板３１の施錠部３１ｃが操作部材２１の被係合部２５から離れる。この場合も、通常の第１操作部分３１ａを操作した場合と同様にラッチ部材１１及び操作部材２１は、戻しバネ１８のバネ力により、自動的に初期位置へと戻る。
【産業上の利用可能性】
【００５４】
本発明は、主に錠前や建具の業界で利用される。
【図面の簡単な説明】
【００５５】
図１乃至図１４は本発明の最良の実施例を示す各説明図。
【図１】図１の（ａ）、（ｂ）は、開閉体側のロック具と戸枠側の受け具をそれぞれ示す斜視図。
【図２】開閉体を閉じ、かつ、操作部材を押し込んだ場合の斜視図。
【図３】閉じる方向（戸枠方向）へ移動中の開閉体の説明図。
【図４】開閉体の閉鎖位置の説明図。
【図５】操作部材を押し込んだ場合の説明図（自動施錠）。
【図６】室内側から施・解錠板を解錠方向へプッシュした場合の説明図。
【図７】操作部材及びラッチ部材が初期位置へ戻る場合の説明図。
【図８】ロック具を室内側から見た正面視であって、便宜上、その内部構造も示した説明図。
【図９】図８の９−９線概略断面説明図。
【図１０】取付け基体の外端面５ｃから見た右側面視であって、便宜上、その内部構造も示した説明図。
【図１１】図１１の（ａ）、（ｂ）は、ラッチ部材の化粧板部分と基端部をそれぞれ示した概略説明図。
【図１２】ラッチ部材用の戻しバネの説明図。
【図１３】ラッチ部材と戻しバネの関係を示す概略説明図。
【図１４】緊急時に施・解錠板を操作する場合の説明図。
【符号の説明】
【００５６】
Ｘ…開閉体錠、Ｆ…指先、１…ロック具、２…開閉体（引戸）、２ａ…外壁面、２ｂ…内壁面、３…室内側、４…縦長切欠、５…取り付け基体、５ａ…一側面（外壁面）、５ｂ…他側面（内壁面）、５ｃ…外端面（戸先面）、６…外側の引手部分、７…内側の引手部分、８…ラッチ部材用収納部分、９…操作部材用ハウジング、１０…支軸、１１…ラッチ部材、１２…基端部、１２ａ…軸受け部分、１３…化粧板部分、１４…係合部、１５…対向軸受け部、１６…可動軸、１７…長孔、１８…戻しバネ、２１…操作部材、２１ａ…内端部、２１ｂ…外端部、２２…垂直ガイドピン、２３…水平案内長孔、３１…施・解錠板、３２…施錠用バネ手段、３１ａ…第１操作部分、３１ｂ…第２操作部分、３１ｃ…施錠部。
【図１】
2008208524.tif 000003
【図２】
2008208524.tif 000004
【図３】
2008208524.tif 000005
【図４】
2008208524.tif 000006
【図５】
2008208524.tif 000007
【図６】
2008208524.tif 000008
【図７】
2008208524.tif 000009
【図８】
2008208524.tif 000010
【図９】
2008208524.tif 000011
【図１０】
2008208524.tif 000012
【図１１】
2008208524.tif 000013
【図１２】
2008208524.tif 000014
【図１３】
2008208524.tif 000015
【図１４】
2008208524.tif 000016